(57)【特許請求の範囲】
【請求項１】
流路を通過する流体の瞬時流量を間欠駆動間隔おきに間欠的に計測する流量計測部と、前記流量計測部により計測された瞬時流量と前記間欠駆動間隔とから求まる積算流量を表示する積算流量表示部とを備えた流量計であって、
前記流量計測部に一対の超音波センサを備え、前記一対の超音波センサ間を相互に伝播する超音波の伝播時間に基づいて、前記流路を通過する流体の瞬時流量を求める超音波流量計であり、
前記間欠駆動間隔が、瞬時流量を求めるために一対の前記超音波センサを駆動する間隔であり、
所定期間に計測される瞬時流量の代表流量である第一判定流量に基づいて、流路を通過する流量が有る場合に目視認識可能な流量パイロット表示を行う表示状態と、流量が無い場合に前記流量パイロット表示を行わない非表示状態とに切換える切換え手段を備え、
前記非表示状態から前記表示状態への切換え流量閾値である第一表示流量閾値と、前記表示状態から前記非表示状態への切換え流量閾値である非表示流量閾値とが異ならせてあり、前記第一表示流量閾値が、前記非表示流量閾値より大きく、下流側に設けられる流体消費機器の運転開始に伴って消費される流量の下限値に関連つけられ、それより小さい値に設定され、
前記第一判定流量が、所定期間に計測される瞬時流量の移動平均値であって、前記間欠駆動間隔毎に求められる流量計。
【請求項２】
前記第一表示流量閾値より流量の小さい側に設定される第二表示流量閾値を備え、前記切換え手段が、前記第一判定流量が前記第一表示流量閾値より小さい非表示状態において、所定期間に計測される瞬時流量の代表流量である第二判定流量が前記第二表示流量閾値より大きい場合に、非表示状態を表示状態に切換える請求項１記載の流量計。
【請求項３】
前記非表示流量閾値が、下流側で漏洩ありと判断する境界値に関連つけられた流量である請求項１又は２記載の流量計。
【請求項４】
前記第二表示流量閾値が、下流側で漏洩ありと判断する境界値に関連つけられた流量である請求項２記載の流量計。
【請求項５】
前記第二判定流量が、所定期間に計測される瞬時流量の最小値であって、前記間欠駆動間隔毎に求められる請求項２記載の流量計
【発明の詳細な説明】
【技術分野】
【０００１】
本発明は、ガスのような流体の流量を計測する流量計に関するものである。
【背景技術】
【０００２】
近年、ガスメータにおいてガスの使用量を計測するために超音波流量計を採用することが考えられている。このような超音波流量計は、流路を通過する流体の瞬時流量を間欠的に計測する流量計測部と、前記流量計測部により計測された瞬時流量と計測間隔から求まる積算流量を表示する積算流量表示部とを備えた流量計の代表例となる。
【０００３】
以下の説明では、主に超音波流量計について説明する。超音波流量計は、良く知られているように、流体が通過する流量の流路を交差するように、流路に交差させて一対の超音波センサを対向して配置し、これら一対の超音波センサ間を相互に伝播する超音波の伝播時間を求め、一対の伝播時間から流路を通過する流体の瞬時流量を求め、積算流量を演算して表示部に表示する（特許文献１）。
【０００４】
超音波流量計には、図２に示すような液晶表示部が備えられる。この流量表示部には、積算流量表示部５１と流量パイロット表示部５２が備えられる。積算流量表示部５１は積算流量を表示する表示部であり、流量パイロット表示部５２は、現在、流量が流れているか否かを表示するためのものである。
【０００５】
この流量パイロット表示は、流量計であるガスメータの取付け時に正常にガスメータが取り付けられ、逆付けのようなことがないかを確認するために用いられたり、不在宅でガス漏れ警報器が吹鳴しているときに、ガス供給事業者の係員がガスメータ上流側のメータガス栓を手動閉栓するかの判断に用いたりする。
【０００６】
従来は、３０秒毎の瞬時流量の平均値（２秒毎の間欠動作の場合、１５回分の瞬時流量の平均値となり３０秒毎に更新される）が一定の閾値、たとえば、４．５Ｌ（リットル）／ｈを越える場合は、流量パイロット表示部５２を点灯することで表示状態とし、４．５Ｌ／ｈを超えない場合は消灯することで非表示状態としていた。
【０００７】
【特許文献１】特開２００５−０９８７９４号公報
【発明の開示】
【発明が解決しようとする課題】
【０００８】
ところで、隣家の大型給湯器の使用開始や、パイプライン網のガバナ制御等の理由で、供給圧力が一時的に変動した際、流量計の下流側でガス不使用の時でもメータ内にガスの流れが発生する場合がある。
上述のように、３０秒（すなわち１５回）の瞬時流量の平均値で流量パイロット表示の表示状態／非表示状態の切換えを判断する場合において、１５回のうち、１回でも１００Ｌ／ｈの流れを検知した場合、残りは全て０Ｌ／ｈでも、平均値は６．６Ｌ／ｈとなり、閾値を越え、表示状態に切り替わってしまう。すなわち、ガス不使用時でもガスが流れていることを示す表示がなされてしまい、顧客の誤解を生む等の不都合を生じる。
【０００９】
また、３０秒毎にパイロット表示の表示状態／非表示状態の切換えが行われるため、後述する図４でも破線で示すように、応答速度が遅いという問題点もある。すなわち、ガス機器を使用し始めた際、パイロット表示が表示状態となるまでに最大３０秒の遅れが生じ、また、ガス機器の使用を終了した際、パイロット表示が非表示状態となるまでに最大３０秒の遅れが生じる。
【００１０】
本発明は上記事由に鑑みて為されたものであり、その目的は、流量パイロット表示の表示状態／非表示状態の切換え精度を上げた流量計を提供することである。
【課題を解決するための手段】
【００１１】
上記目的を達成するための本発明に係る、流路を通過する流体の瞬時流量を間欠駆動間隔おきに間欠的に計測する流量計測部と、前記流量計測部により計測された瞬時流量と前記間欠駆動間隔とから求まる積算流量を表示する積算流量表示部とを備えた流量計の特徴構成は、
前記流量計測部に一対の超音波センサを備え、前記一対の超音波センサ間を相互に伝播する超音波の伝播時間に基づいて、前記流路を通過する流体の瞬時流量を求める超音波流量計であり、
前記間欠駆動間隔が、瞬時流量を求めるために一対の前記超音波センサを駆動する間隔であり、
所定期間に計測される瞬時流量の代表流量である第一判定流量に基づいて、流路を通過する流量が有る場合に目視認識可能な流量パイロット表示を行う表示状態と、流量が無い場合に前記流量パイロット表示を行わない非表示状態とに切換える切換え手段を備え、
前記非表示状態から前記表示状態への切換え流量閾値である第一表示流量閾値と、前記表示状態から前記非表示状態への切換え流量閾値である非表示流量閾値とが異ならせてあり、前記第一表示流量閾値が、前記非表示流量閾値より大きく、下流側に設けられる流体消費機器の運転開始に伴って消費される流量の下限値に関連つけられ、それより小さい値に設定され、
前記第一判定流量が、所定期間に計測される瞬時流量の移動平均値であって、前記間欠駆動間隔毎に求められることにある。
【００１２】
この流量計は、第一判定流量を第一表示流量閾値、非表示閾値と比較することで、流量パイロット表示の表示／非表示が実行される。ここで、非表示閾値と第一表示流量閾値の関係は、後者が前者より大きい閾値とされ、第一表示流量閾値は、下流側に設けられる流体消費機器の運転開始に伴って消費される流量の下限値に関連つけられ、それより小さい値として決定される。結果、流量パイロット表示の表示側への表示変更において、下流側に設けられる流体消費機器の運転開始に対応し、上流側からの外乱の影響を避けた状態で表示切換えを実現できる。
前記第一判定流量としては、瞬時流量の間欠駆動間隔毎に求められる瞬時流量の移動平均値とする。この構成の場合、瞬時流量の間欠駆動間隔毎に移動平均値を得ることができるため、流量パイロット表示の表示状態／非表示状態の切換えを遅れなく適切なものとできる。
また、瞬時流量の計測に関しては、流量計測部に一対の超音波センサを備え、これら一対の超音波センサ間を相互に伝播する超音波の伝播時間に基づいて、流路を通過する流体の瞬時流量を求める超音波流量計とすることで、比較的簡易な構成で、高精度の流量計測を実現できる。
【００１３】
さらに、前記第一表示流量閾値より流量の小さい側に設定される第二表示流量閾値を備え、前記切換え手段が、前記第一判定流量が前記第一表示流量閾値より小さい非表示状態において、所定期間に計測される瞬時流量の代表値が前記第二表示流量閾値より大きい場合に、非表示状態を表示状態に切換える構成とされることが好ましい。
【００１４】
第一表示流量閾値と非表示閾値とを異ならせるヒステリシスを持たせる構成を採用した場合、流量ゼロで、流量パイロット表示が非表示状態であるときから、たとえば、微小なガス漏れが発生して継続すると、瞬時流量の平均はある時点で０から微小流量値となりそのまま継続し、どのタイミングでも第一判定流量＞第一表示流量閾値の条件を満たせず、流量パイロット表示が表示されない問題が発生する可能性がある。そこで、第二表示流量閾値を設定しておき、この流量閾値を第二判定流量（例えば所定期間の瞬時流量の最小値）が超える場合に、流量パイロット表示を表示状態に切換える構成を採用することで、上記問題を解消できる。
【００１５】
前記非表示流量閾値を、流量計が流量計の下流側で漏洩ありと判断する境界値に関連つけられた流量とすることができる。このように構成することで、流路を通過する流量が、流量計が前記流量計より下流側で漏洩ありと判断する境界値に関連つけられた流量を下回るまで、流量パイロット表示を維持することができる。
【００１６】
前記第二表示流量閾値を、流量計が流量計より下流側で漏洩ありと判断する境界値に関連つけられた流量とすることができる。このように構成することで、流路を通過する流量が、第一表示流量閾値より小さく流量計が流量計より下流側で漏洩ありと判断する境界値に関連つけられた流量を上回っている状態において、流量パイロット表示を適切に表示できる。
【００１８】
前記第二判定流量としては、瞬時流量の間欠駆動間隔毎に求められる瞬時流量の最小値とすることができる。この構成の場合、流量パイロット表示が非表示状態であるときから、たとえば、微小なガス漏れが発生した場合でも、流量パイロット表示の非表示状態から表示状態への切換えを適切なものとできる。
【００１９】
さて、瞬時流量の計測に関しては、流量計測部に一対の超音波センサを備え、これら一対の超音波センサ間を相互に伝播する超音波の伝播時間に基づいて、流路を通過する流体の瞬時流量を求める超音波流量計とすることで、比較的簡易な構成で、高精度の流量計測を実現できる。
【発明を実施するための最良の形態】
【００２０】
本発明の実施の形態について、超音波式ガスメータを例にとって、以下、図面に基づいて説明する。図１は、本願に係る当該超音波式ガスメータ１０の概略構造を示す概略構造図であり、図２は超音波ガスメータ１０の表面に設けられている表示部５０の表示状態を示す図である。
【００２１】
超音波式ガスメータ１０は、ガスＧが供給される各ガス需要家に対して設けられ、一次的には各ガス需要家に供給される総ガス流量の計測の用を果たす。さらに、供給側で異常なガスＧの使用状態を確認した場合（例えば、所定値以上の流量が長時間にわたって使用し続けられている場合）は、ガス供給を遮断すべく緊急遮断を行えるように構成されている。
【００２２】
超音波式ガスメータ１０は、ガスＧが通過する流路１に遮断弁２と流量計測部３とを設けてあり、遮断弁２を駆動する遮断弁駆動回路７、流量計測部３に配設される一対の超音波センサ３ａ，３ｂを所定のシーケンスに従って駆動する超音波センサ駆動回路８が備えられている。これら遮断弁駆動回路７及び超音波駆動回路８は、制御部４０からの駆動制御指令に従って働くように構成されるとともに、超音波駆動回路８は、超音波センサ３ａ，３ｂからの計測結果を制御部４０に戻すように構成されている。また、表示部５０及び記憶部６０が備えられており、制御部４０で得られた流量情報が表示部５０に表示される構成が採用されるとともに、記憶部６０に流量情報を記憶することで、下記する所定の処理を実行できるように構成されている。前記制御部４０は、マイクロコンピュータ（以下、「マイコン」と略称する）を主構成要素として構成されている。このマイコンは、主な処理として、瞬時流量検出処理、積算流量演算処理、パイロット表示情報の生成処理及び遮断弁２に対する遮断情報の生成処理を実行するように構成されている。
【００２３】
図示する例では遮断弁２を流路１において計測流路部３の上流側に配置してある。
遮断弁２は制御部４０に備えられる遮断情報生成手段４５で発生される遮断情報により遮断弁駆動回路７により遮断される。この遮断情報生成手段４５は、所定値以上の流量が長時間にわたって使用し続けられている場合に、遮断情報を生成する。
【００２４】
表示部５０は、具体的には液晶表示部として構成されており、図２に示すように積算流量表示部５１と、流量パイロット表示部５２とを備えて構成されている。積算流量表示部５１には、制御部４０において積算された、総ガス流量が表示される。一方、流量パイロット表示部５２は、制御部４０で発生するパイロット表示情報に従って、流路１を通過する流量が有る場合に点灯され（表示状態）、流量が無い場合に消灯される（非表示状態）。
【００２５】
〔瞬時流量計測〕
流量計測部３には、上流側部位と下流側部位とにそれぞれ超音波の送受波を行う超音波センサ３ａ，３ｂが配置されている。これら一対の超音波センサ３ａ，３ｂは、流路１を挟んで互いに対向し、且つ超音波センサ３ａ，３ｂの間で送受される超音波の進行方向
と流体が流路１を通過する方向とが角度θをなして交差するように配置されている。
瞬時流量の計測には、上流側の超音波センサ３ａから下流側の超音波センサ３ｂに向かって超音波を送波したときの超音波の伝播時間ｔ１と、下流側の超音波センサ３ｂから上流側の超音波センサ３ａに向かって超音波を送波したときの超音波の伝播時間ｔ２とを用いる。いま、両超音波センサ３ａ，３ｂの間の距離をｄ、流体の流速をｖ、音速をｃとすると、以下の関係が得られる。
（ｃ＋ｖ・ｃｏｓθ）ｔ１＝（ｃ−ｖ・ｃｏｓθ）ｔ２＝ｄ
したがって、流速ｖは以下のように表すことができる。
ｖ＝（ｄ／２ｃｏｓθ）｛（１／ｔ１）−（１／ｔ２）｝
このようにして求めた流速ｖに計測流路部１の断面積Ｓを乗じた値が瞬時流量ｑになる。
つまり、瞬時流量ｑは次式で表される。
ｑ＝ｖ・Ｓ
【００２６】
制御部４０には、瞬時流量検出手段４１が備えられており、所定タイミングで駆動制御指令を発生し、超音波センサ駆動回路８を働かせる。超音波センサ駆動回路８は、各超音波センサ３ａ，３ｂをそれぞれ送波側として超音波を送受波する動作を１組として駆動し、得られた計測結果を制御部４０に返し、瞬時流量検出手段４１は上記式に従って、１組の動作毎に瞬時流量ｑを演算導出する。
上記の瞬時流量計測は間欠的に実行する。通常この間欠駆動間隔は１〜５秒程度に設定される。
【００２７】
〔積算流量演算〕
制御部４０には、積算流量演算手段４２が備えられており、間欠駆動間隔に瞬時流量ｑに乗じたものを積算していくことによって積算流量Ｑが求められる。このようにして求められる積算流量Ｑはメータの設置以降、流路１を通過した流体の総量（ガスＧの使用量）に相当する。この積算流量Ｑの情報が、表示部５０に送られ、積算流量表示部５１に表示される。
【００２８】
〔流量パイロット表示〕
以下、パイロット表示情報のＯＮ・ＯＦＦに関して説明する。
このパイロット表示情報は、経時的に制御部４０へ送られてくる瞬時流量ｑを時間領域で移動平均し、得られる瞬時流量ｑの移動平均値Ｑａｖｅもしくは各瞬時流量ｑを閾値と比較することで、パイロット情報生成手段４３により発生される。閾値としては、第一表示流量閾値Ｑｔｈ１、第二表示流量閾値Ｑｔｈ２及び非表示流量閾値Ｑｔｈ０が予め記憶部６０に記憶格納されている。ここで、第一表示流量閾値Ｑｔｈ１及び非表示流量閾値Ｑｔｈ０は、図３に示す処理フローにおいて詳細に説明するように、瞬時流量の移動平均値Ｑｍａｖｅ３０と比較される。一方、第二表示流量閾値Ｑｔｈ２は、各瞬時流量ｑ（＝Ｑｂｕｆ（ｉ））と比較される。本願にあっては、所定期間に計測される瞬時流量ｑを個別に記憶するメモリ領域６１が確保されており、付属して備えられるレジスタ（図示せず）において先入れ先出し方式で、直近所定期間の各瞬時流量Ｑｂｕｆ（ｉ）がこのメモリ領域６１に個別に記憶される。下記する例では、この瞬時流量Ｑｂｕｆ（ｉ）を記憶するメモリ領域６１として、２秒毎に計測される３０秒分の瞬時流量ｑを記憶するため、１５の領域が設けられている。
【００２９】
制御部４０では、瞬時流量Ｑｂｕｆ（ｉ）の移動平均値Ｑｍａｖｅ３０（流路を所定期間に通過する流量の代表流量である第一判定流量の一例）が、第一表示流量閾値Ｑｔｈ１より大きい場合に、パイロット表示情報をＯＮとする。本願では、パイロット表示情報がＯＮとなり、流量パイロット表示がなされている状態を「表示状態」と呼ぶ。一方、瞬時流量の移動平均値Ｑｍａｖｅ３０が、非表示流量閾値Ｑｔｈ０より小さい場合に、パイロット表示情報をＯＦＦとする。パイロット表示情報がＯＦＦとされ、流量パイロット表示がなされていない状態を「非表示状態」と呼ぶ。
【００３０】
従って、制御部４０には、第一判定流量Ｑｍａｖｅ３０に基づいて、流路を通過する流量が有る場合に目視認識可能な流量パイロット表示を行う表示状態と、流量が無い場合に前記流量パイロット表示を行わない非表示状態とに切換える切換え手段４４が備えられている。
【００３１】
そして、非表示状態から表示状態への切換え流量閾値である第一表示流量閾値Ｑｔｈ１と、表示状態から非表示状態への切換え流量閾値である非表示流量閾値Ｑｔｈ０は異ならせてあり、第一表示流量閾値Ｑｔｈ１が、非表示流量閾値Ｑｔｈ０より大きく設定されている。一例としては、第一表示流量閾値Ｑｔｈ１を５０Ｌ／ｈと、非表示流量閾値Ｑｔｈ０を３Ｌ／ｈとして設定できる。ここで、非表示流量閾値Ｑｔｈ０は、ガスメータ１０において流量計より下流側で漏洩ありと判断する境界値流量である。一方、第一表示流量閾値Ｑｔｈ１は、非表示流量閾値Ｑｔｈ０より大きく、下流側に設けられる流体消費機器の運転開始に伴って消費される流量の下限値（通常８０〜１００Ｌ／ｈ）に関連つけられ（この下限値より３０〜５０Ｌ／ｈ小流量側に設定）、それより小さい値である。
【００３２】
次に、第二表示流量閾値Ｑｔｈ２に関して説明すると、この閾値は、第一表示流量閾値Ｑｔｈ１より流量の小さい側に設定される閾値であり、第一判定流量Ｑｍａｖｅが第一表示流量閾値Ｑｔｈ１より小さい非表示状態において、第二表示流量閾値Ｑｔｈ２より大きい瞬時流量が所定期間、例えば３０秒に渡って流れた場合に、非表示状態を表示状態に切換えるための閾値である。従って、この閾値判定も先に説明した切換え手段４４が実行する。
【００３３】
この判定が必要となるのは、上記のように、第一表示流量閾値Ｑｔｈ１と非表示閾値Ｑｔｈ０とを異ならせるヒステリシスを持たせる構成を採用した場合、流量ゼロで、流量パイロット表示が非表示状態から、たとえば、微小なガス漏れが発生して継続すると、瞬時流量の移動平均Ｑｍａｖｅはある時点で０から微小流量値となりそのまま継続し、どのタイミングでも瞬時流量の移動平均Ｑｍａｖｅ＞第一表示流量閾値Ｑｔｈ１の条件を満たせず、流量パイロット表示が表示状態に切換らないためである。一例としては、第二表示流量閾値Ｑｔｈ２を３Ｌ／ｈとできる。この第二表示流量閾値Ｑｔｈ２は微小流量を問題とするため、下流側で漏洩ありと判断する下限の境界値に関連つけられた流量である。この第二表示流量閾値Ｑｔｈ２としては、３Ｌ／ｈとできる他、余裕をみて、１．５Ｌ／ｈあるいは２．０Ｌ／ｈとしてもよい。又、３Ｌ／ｈ〜１．５Ｌ／ｈの範囲内の値ともできる。
【００３４】
このような処理を加えても問題がないのは、上流側パイプライン網のガバナ制御等の理由で、供給圧力が一時的に変動した際、ガス不使用時でもメータ内にガスの流れが発生するが、多くの場合それは数秒程度の一時的なものであり、３０秒間（１５回分の瞬時流量）継続して流れることはないからである。
【００３５】
以下、図３に基づいて、パイロット表示情報の発生・停止について、具体的に説明する。このフローに入る前提として、瞬時流量の計測、移動平均化が、瞬時流量の測定タイミング毎に実行され、図３に示すフローに入る。
説明では、瞬時流量ｑを各別に記憶するメモリ領域６１に記憶された瞬時流量をＱｂｕｆ（１）〜Ｑｂｕｆ（１５）とする。これら瞬時流量Ｑｂｕｆ（１）〜Ｑｂｕｆ（１５）は、先に説明したように先入れ先出し方式で各領域に格納された、現在から１５個前までの瞬時流量ｑである。これら記憶された１５個の瞬時流量Ｑｂｕｆ（１）〜Ｑｂｕｆ（１５）に基づいて、その時点での、直近３０秒の移動平均値Ｑｍａｖｅ３０が求められている。閾値は、第一表示流量閾値Ｑｔｈ１を５０Ｌ／ｈ、第二表示流量閾値Ｑｔｈ２を３Ｌ／ｈ及び非表示流量閾値Ｑｔｈ０を３Ｌ／ｈとしている。
【００３６】
図３に示すフローに入ると、現在の流量パイロット表示のＯＮ，ＯＦＦ状態が判定される（＃１）。流量パイロット表示がされていない非表示状態であったときは（＃１：ｎｏ）、第一表示流量閾値Ｑｔｈ１を用い、Ｑｍａｖｅ３０＞Ｑｔｈ１であれば（＃２：ｙｅｓ），流量パイロット表示を表示状態に切換える（＃５）。Ｑｍａｖｅ３０≦Ｑｔｈ１であれば（＃２：ｎｏ）、流量パイロット表示を非表示状態のまま継続する。
【００３７】
流量パイロット表示が、表示状態であったときは（＃１：ｙｅｓ）、非表示流量閾値Ｑｔｈ０を用い（＃３）、Ｑｍａｖｅ３０＞Ｑｔｈ０であれば（＃３：ｙｅｓ）、流量パイロット表示を表示状態のまま維持し（＃５）、Ｑｍａｖｅ３０＞Ｑｔｈ０でなければ（＃３：ｎｏ）、下記するステップ＃４の判定を経て流量パイロット表示を非表示状態に切換える。
【００３８】
さて、流量パイロット表示が、非表示状態であり（＃１：ｎｏ）、第一表示流量閾値Ｑｔｈ１を用い、Ｑｍａｖｅ３０≦Ｑｔｈ１である状態であった場合（＃２：ｎｏ）直近１５回分の瞬時流量Ｑｂｕｆ（１）〜Ｑｂｕｆ（１５）の最小値が第二表示流量閾値Ｑｔｈ２以上であれば（＃４：ｙｅｓ）、流量パイロット表示を表示状態に切換える（＃５）。直近１５回分の瞬時流量Ｑｂｕｆ（１）〜Ｑｂｕｆ（１５）の何れもが第二表示流量閾値Ｑｔｈ２未満であれば（＃４：ｎｏ）、流量パイロット表示を非表示状態のまま継続する（＃６）。このようにして、良好な表示状態を確保することができる。
【００３９】
図４に、瞬時流量（細実線）、瞬時流量の各計測時点において求められる移動平均値Ｑｍａｖｅ３０に基づいた流量パイロット表示のＯＮ（表示状態），ＯＦＦ（非表示状態）の判断結果（太実線）、及び従来行っていた３０秒毎に求めた平均値に基づく流量パイロット表示のＯＮ，ＯＦＦの判断結果（点線）を示した。この図に示す判断結果は、流量パイロット表示のＯＮ，ＯＦＦ間の閾値を、同一の閾値（表示流量閾値と非表示閾値とが同一）４．５Ｌ／ｈとして行ったものである。このように移動平均値Ｑｍａｖｅ３０を使用すると、瞬時流量（細実線）が０Ｌ／ｈから増大すると直ぐにＯＮとなり、瞬時流量が０Ｌ／ｈとなってから従来のもの（点線）よりも早くＯＦＦとなっている。従って、移動平均値Ｑｍａｖｅ３０を使用するだけで、ＯＮ、ＯＦＦ表示を遅れなく適正に行うことができることが判る。
【００４０】
図５に、瞬時流量（細実線）、図３に示す閾値にヒステリシスを持たせた場合の、移動平均値Ｑｍａｖｅ３０に基づく流量パイロット表示のＯＮ，ＯＦＦの判断結果（太実線）、及び閾値にヒステリシスを持たせなかった場合の流量パイロット表示のＯＮ，ＯＦＦの判断結果（点線）を示した。ヒステリシスを持たせないもの（点線）では、３８０００〜３９０００や、３９０００以降に誤ってＯＮとなっているが、上記した構成ではＯＦＦに維持されている。従って、閾値にヒステリシスを持たせることで、流量パイロット誤表示を抑制できることが判る。
【産業上の利用可能性】
【００４１】
流量パイロット表示の表示状態／非表示状態の切換え精度を上げた流量計を提供することができた。
【図面の簡単な説明】
【００４２】
【図１】超音波式ガスメータの構成を示す図
【図２】表示部における表示状態を示す図
【図３】流量パイロット表示の処理フローを示す図
【図４】瞬時流量の移動平均値に基づく流量パイロット表示の状態を示す図
【図５】表示流量閾値と非表示流量閾値との間にヒステリシスを設定した場合の流量パイロット表示の状態を示す図
【符号の説明】
【００４３】
１    流路
３    流量計測部
４０  制御部
４１  切換え手段
５０  表示部
５１  積算流量表示部
５２  流量パイロット表示部
【図１】
0005154282.tif 000002
【図２】
0005154282.tif 000003
【図３】
0005154282.tif 000004
【図４】
0005154282.tif 000005
【図５】
0005154282.tif 000006